(57)【要約】      （修正有）【課題】階段と鋼製布板との間に、ガードを設けて、鋼製布板を歩行中、ふらついて横の階段下の空間に墜落・転落することがないようにする。【解決手段】斜材の上端に固定金具を固着し、斜材の下端に固定金具を固着し、斜材の下端の貫通孔と水平材の一端の貫通孔とをネジで連接し、水平材の他端に固定金具を固着し、手すり柱の上端の貫通孔と斜材の貫通孔とをネジで連接し、手すり柱の下端に、手すり柱用プレートを固着し、水平材にはグラビティロックを固着し、前記手すり柱用プレートに前記グラビティロックを貫通させ、手すり柱の下端と水平材を固定し、横手すりの一端と斜材とはネジで連接し、横手すりの他端に孔を設け、その孔に手すり柱に固着したグラビティロックを貫通させ、横手すりと手すり柱とを固定したものである。【選択図】図１
0003126639.tif 000002
【実用新案登録請求の範囲】
【請求項１】
鋼製枠組足場に形成された建枠および横桟を利用して、取り付けた墜落・転落防止用ガードにおいて、斜材の上端に固定金具を固着し、斜材の下端に固定金具を固着し、斜材の下端と水平材の一端とをジョイント用プレートを介してネジで可動自在に連接し、水平材の他端に固定金具を固着し、手すり柱の上端と斜材とをジョイント用プレートを介してネジで可動自在に連接し、手すり柱の下端にグラビティロックが貫通する孔を設けた手すり柱用プレートを固着し、水平材にはグラビティロックを固着し、手すり柱用プレートの孔にグラビティロックを貫通させ、手すり柱の下端と水平材を固定し、斜材と手すり柱との間に横手すりを設けるため、横手すりの一端と斜材とはネジで可動自在に連接し、横手すりの他端に孔を設け、その孔に手すり柱に固着したグラビティロックを貫通させ、横手すりと手すり柱とを固定したことを特徴とする墜落・転落防止用ガード。
【請求項２】
アール形状の妻側手すりの一端に固定金具を固着し、他端に手すり柱に固着したグラビティロックを貫通し、固定するための孔を設けたアール形状の妻側手すりを付設した請求項１に記載の墜落・転落防止用ガード。
【請求項３】
斜材と水平材との間にチェーンを付設した請求項１に記載の墜落・転落防止用ガード。
【考案の詳細な説明】
【技術分野】
【０００１】
本考案は、鋼製枠組足場の墜落・転落防止用ガードに関するものである。
【背景技術】
【０００２】
鋼製枠組足場について、いろいろな墜落・転落防止用ガードがあるが、例えば、実公平２−４６５９６号公報、実開平７−３８４２６号公報、そして、特許第２５５４３１３号特許公報に開示されているが、鋼製枠組足場に階段を取り付けた場合、階段と足場板との間の墜落・転落防止用ガードは、まったくなかったし、大変困難であった。
【０００３】
すなわち、鋼製枠組足場は、建枠および筋違（筋交）で組み立てられるが、建枠の横桟に階段と鋼製布板を取り付けると、横桟には、もうそれ以上何かを取り付ける余裕がなかったので、鋼製布板を歩行中、ふらついて、横の階段下の空間に墜落・転落するようなことがあっても、ガードは考えられてなかった。
【特許文献１】実公平２−４６５９６号公報
【特許文献２】実開平７−３８４２６号公報
【特許文献３】特許第２５５４３１３号
【考案の開示】
【考案が解決しようとする課題】
【０００４】
そこで、階段と鋼製布板との間に、ガードを設けて、鋼製布板を歩行中、ふらついて横の階段下の空間に墜落・転落することがないようにするには、建枠の横桟に取り付けた階段と鋼製布板との間に、さらに、建枠の横桟にガードを取り付けなければならない。そして、ガードは、現場で簡単に組み立てができ、かつ、折り畳んで収納ができ、さらに、分解もできる。しかも、何回も、使用するできることが必要である。
【課題を解決するための手段】
【０００５】
本考案は、鋼製枠組足場に形成された建枠を利用して、取り付けた墜落・転落防止用ガードにおいて、斜材の上端に固定金具を固着し、その固定金具を建枠の手前側の上の横桟に階段と鋼製布板との間に取り付け、斜材の下端に固定金具を固着し、その固定金具を建枠の向う側の下の横桟に階段と鋼製布板との間に取り付け、斜材の下端の貫通孔と水平材の一端の貫通孔とをジョイント用プレートを介してネジで連接し、水平材の他端に固定金具を固着し、その固定金具を建枠の手前側の下の横桟に取り付け、手すり柱の上端の貫通孔と斜材の貫通孔とをジョイント用プレートを介してネジで連接し、手すり柱の下端に、グラビティロック（ブレスピン）が貫通する孔を設けた手すり柱用プレートを固着し、水平材にはグラビティロック（ブレスピン）を固着し、前記手すり柱用プレートに前記グラビティロックを貫通させ、手すり柱の下端と水平材を固定し、斜材と手すり柱との間に横手すりを複数個設けるために、横手すりの一端と斜材とはネジで連接し、横手すりの他端に孔を設け、その孔に手すり柱に固着したグラビティロックを貫通させ、横手すりと手すり柱とを固定したものである。ここで、前記グラビティロックを手すり柱の階段側でも、その反対側でも良い。また、斜め材１と水平材２との間にチェーンを付けて、斜材１と水平材２とが手すり柱３の長さより広がらないようにしても良い。なお、ここで、ネジとは、ボルトとナット、リベットあるいはピンでもよい。
【０００６】
また、上記構成の上に、さらに、アール形状の妻側手すりの一端に固定金具を固着し、その固定金具を鋼製枠組足場の手前の建枠に取り付け、アール形状の妻側手すりの他端に孔を設け、それぞれの孔に上記手すり柱に固着したグラビティロックを貫通させ、固定するとよい。このアール形状の妻側手すりは、不要な場合は取り付けない。
【０００７】
そこで、本考案を鋼製枠組足場に取り付けるには、まず、棒状に成っている収納状態の本考案の墜落・転落防止用ガードを広げ、斜材の上端の固定金具を建枠の手前側の上の横桟に階段と足場板との間に取り付け、斜材の下端の固定金具を建枠の向う側の下の横桟の階段と鋼製布板との間に取り付け、水平材の他端の固定金具を建枠の手前側の下の横桟に取り付け、そして、斜材に連接した手すり柱の下端の手すり用プレートに水平材のグラビティロックを貫通させ、手すり柱の下端と水平材を固定し、さらに、斜材に連接した横手すりの他端に設けた孔に、手すり柱のグラビティロックを貫通させ、固定すると、手すり柱と横手すりが固定すると、墜落・転落防止用ガードが取り付けられる。
【０００８】
次に、続いて、アール形状の妻側手すりの一端の固定金具を鋼製枠組足場の手前建枠に取り付け、アール形状の妻側手すりの他端の孔に手すり柱のグラビティロックを貫通させ、固定して、アール形状の妻側手すりを取り付けてもよい。もちろん、階段の昇降口を塞いでは困るときは取り付けない。
【考案の効果】
【０００９】
本考案は、階段横の鋼製布板を走行中、ふらついても、手すり柱や横手すりを掴むことによって、階段下の空間に墜落・転落することがなく、安全に作業ができる。また、何階建ての足場にも利用でき、大変狭い現場で、たとえば、階段の踊り場を設けることができない場合でも、下の階段から上の鋼製布板に上がる際、手すり柱を握って鋼製布板に上がることができる。本考案は、斜材と水平材、斜材と手すり柱、斜材と横手すりとが連接しているので、収納の時は、すべてを棒状にまとめることができ、使用のときは、直ちに、一人で組み立て、鋼製枠組足場に一人で設置することができる。もちろん、すべてをばらばらに分解することもできる。また、各部材は、市販のものでもよい。
【００１０】
さらに、本考案は、鋼製枠組足場の手前の建枠と手すり柱との間にアール形状の妻側手すりを設けることにより、階段の昇降口に対向する前側からの墜落・転落防止になり、より安全になる。
【考案を実施するための最良の形態】
【００１１】
本考案は、鋼製布板から階段下に墜落・転落することがないように、墜落・転落防止を目的として、階段下にガードを簡単に取り付け、しかも、安全なガードを実現した。
【実施例１】
【００１２】
図１は、本考案の一実施例であり、１は、斜材であって、斜材１の上端に単クランプ７aを固着し、斜材１の下端に外爪カシメフック１２を固着する。２は、水平材であって、斜材１の下端と水平材２の一端とをジョイント用プレート９aを介してリベット１１a、１１bで可動自在に付け、水平材２の他端に単クランプ７bを固着する。３は、手すり柱であって、手すり柱３の上端と斜材１とをジョイント用プレート９bを介してリベット１１c，１１dで可動自在に付け、手すり柱3の下端にグラビティロック８a，８bが貫通する孔を設けた手すり柱用プレート１０を固着する。水平材２にグラビティロック８a，８bを固着し、手すり柱用プレート１０の孔にグラビティロック８a，８bを貫通させ、手すり柱３の下端と水平材２を固定する。斜材１と手すり柱３との間に横手すり４，５，６を複数個設けるために、横手すり４，５，６の一端と斜材１とはリベット１１e，１１f，１１gで可動自在に付け、横手すり４，５，６の他端に孔を設け、その孔に手すり柱３に固着したグラビティロック８c，８d，８eを貫通させ、横手すりと手すり柱とを固定したものである。グラビティロック８c，８d，８eは、手すり柱３の階段側でも、その反対側でもよい。斜材１と水平材２との間にチェーン（図示せず）を付けて、斜材１と水平材２とが手すり柱３の長さより広がらないようにしても良い。
【実施例２】
【００１３】
図２は、本考案の別の実施例であって、実施例１の構成に加えて、さらに、アール形状の妻側手すり１3、１４，１５の一端に単クランプ７c、７d、７eを固着し、アール形状の妻側手すり１３，１４，１５の他端に孔を設け、それぞれの孔に図１に図示した手すり柱３に固着したグラビティロック８c、８d，８eを貫通させ、固定する。
【００１４】
図３は、鋼製枠組足場に本考案の実施例を取り付けた状態図であって、本考案を鋼製枠組足場に取り付けるには、まず、斜材１の上端の単クランプ７aを建枠の手前側の上の横桟Aの階段Eと鋼製布板（図示せず）との間に取り付け、斜材１の下端の外爪カシメフック１２を建枠の向う側の下の横桟Cの階段Eと鋼製布板Fとの間に取り付け、水平材２の他端の単クランプ７bを建枠の手前側の下の横桟Bに取り付ける。そして、斜材１に連接した手すり柱３の下端の手すり用プレート１０に水平材２のグラビティロック８a，８bを貫通させ、手すり柱３の下端と水平材２を固定する。さらに、斜材1に連接した横手すり４，５，６の他端に設けた孔に、手すり柱３のグラビティロック８c，８d，８e（図示せず）を貫通させ、固定すると、手すり柱３と横手すり４，５，６が固定し、ガードが完成する。
また、さらに、必要な場合は、アール形状の妻側手すり１３，１４，１５の一端に固着した単クランプ７c、７d、７eを鋼製枠組足場の手前の建枠Dに取り付け、アール形状の妻側手すり１３，１４，１５の他端に設けた孔を、手すり柱３に固着したグラビティロック８c，８d，８e（図示せず）を貫通させ、固定すると、さらにガードが広い範囲になり、より良くなる
【産業上の利用可能性】
【００１５】
あらゆる建築現場での鋼製枠組足場に使用でき、鋼製布板から階段下への墜落・転落を防止することができる。特に、大変狭い現場で、たとえば、階段の踊り場を設ける余裕がなく、踊り場のない階段を組む場合は、格段の利用可能性がある。
【図面の簡単な説明】
【００１６】
【図１】本考案の一実施例の正面図である。
【図２】本考案の他の実施例の平面図であって、部分図である。
【図３】本考案の実施例を鋼製枠組足場に取り付けた状態の斜視図である。
【符号の説明】
【００１７】
１・・・斜材
２・・・水平材
３・・・手すり柱
４、５、６・・・横手すり
７a、７b、７c，７d，７e・・・単クランプ
８a、８b、８c、８d、８e・・・グラビティロック
９a、９b・・・ジョイント用プレート
１０・・・手すり柱用プレート
１１a、１１b、１１c、１１d、１１e、１１f、１１g  ・・・リベット
１２・・・外爪カシメフック
１３，１４，１５・・・妻側手すり
【図１】
0003126639.tif 000003
【図２】
0003126639.tif 000004
【図３】
0003126639.tif 000005